(57)【特許請求の範囲】
【請求項１】
直列に積層された複数のセルと、前記複数のセルのうち最も両端に位置するセルの電極にそれぞれ給電線を介して接続された外部端子とを有するバッテリと、前記バッテリの前記外部端子に接続された回路部とを備えたバッテリ付き機器であって、
前記給電線の長さをｌ［ｍ］、前記給電線の比誘電率をεｒ、前記給電線の比透磁率をμｒとしたとき、前記給電線上で生じる定在波の周波数ｆ＝Ｃ／（４ｌ√（εｒ・μｒ））、ただし、Ｃ：光速［ｍ／ｓ］がノイズ規制値で定められている上限の周波数よりも高くなるように、前記給電線の長さが設定されていることを特徴とするバッテリ付き機器。
【請求項２】
前記バッテリは２つ設けられ、当該２つのバッテリが一列に配置されていると共に、前記２つのバッテリのうち第１のバッテリの正極と第２のバッテリの負極が接続導体により接続され、かつ前記第１のバッテリの負極と前記第２のバッテリの正極に前記給電線がそれぞれ接続されていることを特徴とする請求項１記載のバッテリ付き機器。
【請求項３】
前記バッテリは２つ設けられ、当該２つのバッテリが上下に重なり合って配置されていると共に、前記２つのバッテリのうち第１のバッテリの正極と第２のバッテリの負極が接続導体により接続され、前記第１のバッテリの負極と前記第２のバッテリの正極に前記給電線がそれぞれ接続されていることを特徴とする請求項１記載のバッテリ付き機器。
【請求項４】
前記バッテリは３つ設けられ、当該３つのバッテリが上下に重なり合って配置されていると共に、前記３つのバッテリのうち第１のバッテリの正極と第３のバッテリの負極が第１の接続導体により接続されていると共に、前記第１のバッテリの負極と第２のバッテリの正極が第２の接続導体により接続され、かつ前記第２のバッテリの負極と前記第３のバッテリの正極に前記給電線がそれぞれ接続されていることを特徴とする請求項１記載のバッテリ付き機器。
【請求項５】
前記バッテリは、複数のセルが一列に配置され且つ隣り合うセル同士が直列に接続されたセル集合体を有することを特徴とする請求項１記載のバッテリ付き機器。
【発明の詳細な説明】
【技術分野】
【０００１】
本発明はバッテリ付き機器に関する。
【背景技術】
【０００２】
停電や電源変動などの電源トラブルに対処するために、電源とコンピュータなどの負荷との間に無停電電源装置を接続する方法がある。この無停電電源装置は、停電や電源変動などの電源トラブルが発生すると、内部バッテリを電源として負荷に電力を供給することで、負荷に供給される電力を安定に維持することができる。
図９は、無停電電源装置の概略構成を示すブロック図である。
【０００３】
図９において、無停電電源装置には、電力を貯蔵するバッテリ部１０４が設けられ、バッテリ部１０４はコネクタ１０５を介して電力変換回路部１０２に接続されている。なお、電力変換回路部１０２には、コンバータ回路やチョッパ回路などが搭載され、スイッチング動作によって直流を交流に変換することができる。ここで、バッテリ部１０４からはバッテリ部１０４の正極端子および負極端子を電力変換回路部１０２にそれぞれ接続するための給電線１０６、１０７が引き出され、バッテリ部１０４は給電線１０６、１０７を介して電力変換回路部１０２のプリント基板に接続される。
【０００４】
そして、通常時には、商用電源１０１から負荷１０３に電力が供給される。そして、停電や電源変動などの電源トラブルが発生すると、負荷１０３への電力の供給経路がバッテリ部１０４側に切り替えられ、バッテリ部１０４から供給される直流が電力変換回路部１０２にて交流に変換された後、負荷１０３に電力が供給される。
ここで、バッテリ部１０４に搭載されるバッテリとしては、正極と負極とが交互に積層された構造、すなわち、セルが一方向に直列に積層された構造が広く用いられている。
【０００５】
図１０（ａ）は従来のバッテリの概略構成を模式的に示す斜視図、図１０（ｂ）は図１０（ａ）のバッテリの概略構成を模式的に示す平面図、図１０（ｃ）は図１０（ａ）のバッテリの給電線の電圧分布を示す図である。
図１０において、長さＬのバッテリ１１１には、複数のセル１１２が設けられ、セル１１２は一方向に直列に積層されている。ここで、バッテリ１１１内には、両端のセル１１２の正極と負極にそれぞれ接続された正極内部端子Ｂ１１および負極内部端子Ｂ１１´が設けられるとともに、バッテリ１１１外には、バッテリ１１１を電力変換回路部１０２に接続するための正極外部端子Ａ１１および負極外部端子Ａ１１´が設けられている。
【０００６】
ここで、バッテリ１１１の正極内部端子Ｂ１１は負極内部端子Ｂ１１´に対して反対側に配置されるとともに、バッテリ１１１の正極外部端子Ａ１１は負極外部端子Ａ１１´側に配置されている。そして、正極内部端子Ｂ１１と正極外部端子Ａ１１とは給電線１１３を介して接続され、負極内部端子Ｂ１１´と負極外部端子Ａ１１´とは給電線１１４を介して接続されている。
【０００７】
ここで、給電線１１３のインピーダンスは、正極外部端子Ａ１１で最も低く、正極内部端子Ｂ１１で最も高くなる。そのため、図９の電力変換回路部１０２のスイッチング素子のスイッチング動作などで発生したノイズが高周波電流としてバッテリ１１１に伝わると、バッテリ１１１の正極内部端子Ｂ１１で反射が起こり、この反射波が入射波と重ね合わされることによって、図１０（ｃ）に示すように、給電線１１３上で１／４波長を給電線長さｌとする定在波が発生し、給電線長さｌによって波長が決まる放射ノイズが発生する。
【０００８】
この給電線長さｌと放射ノイズの波長λとの関係は、以下の式で表すことができる。
ｌ＝１／４λ                                                  （１）
λ＝Ｃ／（ｆ√（εｒμｒ））                                    （２）
ｆ＝Ｃ／（４ｌ√（εｒμｒ））                                  （３）
ただし、
Ｃ：光速（＝３×１０８）［ｍ／ｓｅｃ］
ｌ：給電線長さ［ｍ］
ｆ：共振周波数（定在波が発生する周波数）
λ：波長［ｍ］
εｒ：給電線の比誘電率
μｒ：給電線の比透磁率
そして、ノイズ規制値が定められている上限の周波数は機器の種類によって決められている。
また、無停電電源装置に用いられるバッテリは、その出力電圧を大きくするために、複数台を直列接続することがある。
【０００９】
図１１（ａ）は従来のバッテリの概略構成のその他の例を模式的に示す斜視図、図１１（ｂ）は図１１（ａ）のバッテリの概略構成を模式的に示す平面図、図１１（ｃ）は図１１（ａ）のバッテリの給電線の電圧分布を示す図である。
図１１において、バッテリ１２１ａ、１２１ｂには、複数のセル１２２ａ、１２２ｂがそれぞれ設けられ、セル１２２ａ、１２２ｂはそれぞれ一方向に直列に積層されている。ここで、バッテリ１２１ａ内には、一端のセル１２２ａの正極に接続された正極内部端子Ｂ１２が設けられるとともに、バッテリ１２１ａ外には、バッテリ１２１ａの正極を電力変換回路部１０２に接続するための正極外部端子Ａ１２が設けられている。また、バッテリ１２１ｂ内には、一端のセル１２２ｂの負極に接続された負極内部端子Ｂ１２´が設けられるとともに、バッテリ１２１ｂ外には、バッテリ１２１ｂの負極を電力変換回路部１０２に接続するための負極外部端子Ａ１２´が設けられている。そして、バッテリ１２１ａの他端のセル１２２ａの負極とバッテリ１２１ｂの他端のセル１２２ｂの正極とを接続導体１２４を介して接続することで、バッテリ１２１ａ、１２１ｂは互いに直列接続されている。
【００１０】
ここで、バッテリ１２１ａの正極内部端子Ｂ１２は、バッテリ１２１ｂの負極内部端子Ｂ１２´に対して反対側に配置されるとともに、バッテリ１２１ａの正極外部端子Ａ１２は、バッテリ１２１ｂの負極外部端子Ａ１２´側に配置されている。そして、正極内部端子Ｂ１２と正極外部端子Ａ１２とは給電線１２３を介して接続され、負極内部端子Ｂ１２´と負極外部端子Ａ１２´とは給電線１２４を介して接続されている。
【００１１】
ここで、給電線１２３のインピーダンスは、正極外部端子Ａ１２で最も低く、正極内部端子Ｂ１２で最も高くなる。また、給電線１２４のインピーダンスは、正極外部端子Ａ１２’で最も低く、正極内部端子Ｂ１２’で最も高くなる。そのため、図９の電力変換回路部１０２のスイッチング素子のスイッチング動作などで発生したノイズが高周波電流としてバッテリ１２１ａ、１２１ｂに伝わると、バッテリ１２１ａ、１２１ｂの正極内部端子Ｂ１２、Ｂ１２’でそれぞれ反射が起こり、この反射波が入射波と重ね合わせられることによって、図１１（ｃ）に示すように、給電線１２３、１２４上で１／４波長を給電線長さｌとする定在波がそれぞれ発生し、給電線長さｌによって波長が決まる放射ノイズがそれぞれ発生する。
【００１２】
また、例えば、特許文献１には、バッテリの給電線上で生じる定在波に起因する放射ノイズを抑制するために、バッテリの端部とグランドとを容量結合により高周波的に接続し、アンテナとして機能する給電線の端部の電圧をゼロにする方法が開示されている。
【発明の開示】
【発明が解決しようとする課題】
【００１３】
しかしながら、特許文献１に開示された方法では、バッテリの端部とグランドとを容量結合させる必要があり、その容量結合が装置の構造上困難である場合には、バッテリの給電線上で生じる定在波に起因する放射ノイズを抑制することができないという問題があった。
そこで、本発明の目的は、バッテリの端部とグランドとを容量結合させることなく、給電線上で生じる定在波に起因する放射ノイズの影響を低減することが可能なバッテリ付き機器を提供することである。
【課題を解決するための手段】
【００１４】
上述した課題を解決するために、請求項１記載の発明は、直列に積層された複数のセルと、前記複数のセルのうち最も両端に位置するセルの電極にそれぞれ給電線を介して接続された外部端子とを有するバッテリと、前記バッテリの前記外部端子に接続された回路部とを備えたバッテリ付き機器であって、前記給電線の長さをｌ［ｍ］、前記給電線の比誘電率をεｒ、前記給電線の比透磁率をμｒとしたとき、前記給電線上で生じる定在波の周波数ｆ＝Ｃ／（４ｌ√（εｒ・μｒ））、ただし、Ｃ：光速［ｍ／ｓ］がノイズ規制値で定められている上限の周波数よりも高くなるように、前記給電線の長さが設定されていることを特徴とする。
【００１６】
また、請求項２記載の発明は、請求項１記載のバッテリ付き機器において、前記バッテリは２つ設けられ、当該２つのバッテリが一列に配置されていると共に、前記２つのバッテリのうち第１のバッテリの正極と第２のバッテリの負極が接続導体により接続され、かつ前記第１のバッテリの負極と前記第２のバッテリの正極に前記給電線がそれぞれ接続されていることを特徴とする。
【００１７】
また、請求項３記載の発明は、請求項１記載のバッテリ付き機器において、前記バッテリは２つ設けられ、当該２つのバッテリが上下に重なり合って配置されていると共に、前記２つのバッテリのうち第１のバッテリの正極と第２のバッテリの負極が接続導体により接続され、前記第１のバッテリの負極と前記第２のバッテリの正極に前記給電線がそれぞれ接続されていることを特徴とする。
【００１８】
また、請求項４記載の発明は、請求項１記載のバッテリ付き機器において、前記バッテリは３つ設けられ、当該３つのバッテリが上下に重なり合って配置されていると共に、前記３つのバッテリのうち第１のバッテリの正極と第３のバッテリの負極が第１の接続導体により接続されていると共に、前記第１のバッテリの負極と第２のバッテリの正極が第２の接続導体により接続され、かつ前記第２のバッテリの負極と前記第３のバッテリの正極に前記給電線がそれぞれ接続されていることを特徴とする。
【００１９】
また、請求項５記載の発明は、請求項１記載のバッテリ付き機器において、複数のセルが一列に配列され且つ隣り合うセル同士が直列に接続された複数のセル集合体を前記バッテリが有することを特徴とする。
【発明の効果】
【００２０】
以上説明したように、本発明によれば、バッテリの給電線の長さを短くすることで、給電線上で生じる定在波に起因する放射ノイズについてノイズ規制値で定められている上限の周波数よりも高くすることが可能となり、バッテリの端部とグランドとを容量結合させることなく、給電線上で生じる定在波に起因する放射ノイズの影響を低減することが可能となる。
【発明を実施するための最良の形態】
【００２１】
以下、本発明の実施形態に係るバッテリについて図面を参照しながら説明する。なお、以下の説明では、放射ノイズについてのノイズ規制値が１ＧＨｚ以下の周波数に対して設けられ、バッテリ内部のセルから外部に引き出された給電線の比誘電率εrが３．４、比透磁率μrが１の場合を例にとる。この例では、給電線長さｌが約４．１ｃｍ以上になると、１ＧＨｚ以下の周波数で定存波が発生する。
【００２２】
図１は、本発明の第１実施形態に係るバッテリの概略構成を模式的に示す斜視図である。
図１において、バッテリ１１には、複数のセル１２が設けられ、セル１２は一方向に直列に積層されている。ここで、バッテリ１１内には、両端のセル１２の正極と負極にそれぞれ接続された正極内部端子Ｂ１および負極内部端子Ｂ１´が設けられるとともに、バッテリ１１外には、バッテリ１１を図９の電力変換回路部１０２に接続するための正極外部端子Ａ１および負極外部端子Ａ１´が設けられている。
【００２３】
ここで、バッテリ１１の正極内部端子Ｂ１は負極内部端子Ｂ１´に対して反対側に配置されるとともに、バッテリ１１の正極外部端子Ａ１は負極外部端子Ａ１´に対して反対側に配置され、正極内部端子Ｂ１および正極外部端子Ａ１はバッテリ１１の一端に配置され、負極内部端子Ｂ１´および負極外部端子Ａ１´はバッテリ１１の他端に配置される。そして、正極内部端子Ｂ１と正極外部端子Ａ１とは給電線１３を介して接続され、負極内部端子Ｂ１´と負極外部端子Ａ１´とは給電線１４を介して接続されている。
【００２４】
これにより、バッテリ１１の長さＬに依存することなく、給電線１３、１４の長さｌを決めることができ、給電線１３、１４の長さｌを短くすることが可能となることから、給電線１３、１４上で生じる定在波に起因する放射ノイズについて規制値で定められている上限の周波数よりも高くすることが可能となり、給電線１３、１４上で生じる定在波に起因する放射ノイズの影響を低減することが可能となる。
【００２５】
例えば、図１０の構成では、給電線１１３の長さｌは給電線１１４の長さよりも長くなり、バッテリ１１の長さＬが５ｃｍとすると、給電線１１３の長さｌも５ｃｍとなり、（３）式から８１３ＭＨｚ以下の周波数で定在波が発生する。
これに対して、図１の構成では、給電線１３の長さｌを給電線１４の長さと等しくすることができ、バッテリ１１の長さＬが５ｃｍであっても、給電線１３の長さｌを３ｃｍとすることが可能となる。このため、（３）式から定在波が発生する周波数を１．３６ＧＨｚとすることができ、ノイズ規制値が設けられている１ＧＨｚ以下の周波数以下の周波数では、定在波の発生を抑えることができる。
【００２６】
図２は、本発明の第２実施形態に係るバッテリの概略構成を模式的に示す斜視図である。
図２において、バッテリ２１には、複数のセル２２が設けられ、セル２２は一方向に直列に積層されている。ここで、バッテリ２１内には、両端のセル２２の正極と負極にそれぞれ接続された正極内部端子Ｂ２および負極内部端子Ｂ２´が設けられるとともに、バッテリ２１外には、バッテリ２１を図９の電力変換回路部１０２に接続するための正極外部端子Ａ２および負極外部端子Ａ２´が設けられている。
【００２７】
ここで、バッテリ２１の正極内部端子Ｂ２は負極内部端子Ｂ２´に対して反対側に配置されるとともに、バッテリ２１の正極外部端子Ａ２および負極外部端子Ａ２´は、バッテリ２１の中央部に隣接して配置されている。そして、正極内部端子Ｂ２と正極外部端子Ａ２とは給電線２３を介して接続され、負極内部端子Ｂ２´と負極外部端子Ａ２´とは給電線２４を介して接続されている。
【００２８】
これにより、給電線２３の長さｌを給電線２４の長さと等しくすることができ、給電線２３の長さｌをバッテリ２１の長さＬよりも短くすることが可能となることから、給電線１３、１４上で生じる定在波に起因する放射ノイズの影響を低減することが可能となるとともに、正極外部端子Ａ２および負極外部端子Ａ２’を近づけて配置することができ、そのような機器の構造上の要請に対応することができる。
【００２９】
図３は、本発明の第３実施形態に係るバッテリの概略構成を模式的に示す斜視図である。
図３において、バッテリ３１ａ、３１ｂには、複数のセル３２ａ、３２ｂがそれぞれ設けられ、セル３２ａ、３２ｂはそれぞれ一方向に直列に積層されている。そして、バッテリ３１ｂは、セル３２ｂの積層方向がセル３２ａの積層方向に沿うようにバッテリ３１ａに隣接して配置されている。ここで、バッテリ３１ｂから最も遠い位置にあるセル３２ａの正極と、バッテリ３１ａから最も遠い位置にあるセル３２ｂの負極とは、接続導体３５を介して接続されている。また、バッテリ３１ａ内には、バッテリ３１ｂに最も近い位置にあるセル３２ａの負極に接続された負極内部端子Ｂ３´が設けられるとともに、バッテリ３１ａ外には、バッテリ３１ａの負極を図９の電力変換回路部１０２の負極に接続するための負極外部端子Ａ３´が設けられている。また、バッテリ３１ｂ内には、バッテリ３１ａに最も近い位置にあるセル３２ｂの正極に接続された正極内部端子Ｂ３が設けられるとともに、バッテリ３１ｂ外には、バッテリ３１ｂの正極を図９の電力変換回路部１０２の正極に接続するための正極外部端子Ａ３が設けられている。
【００３０】
ここで、バッテリ３２ａの負極内部端子Ｂ３´とバッテリ３２ｂの正極内部端子Ｂ３は、バッテリ３２ａとバッテリ３２ｂとの境界面の近傍に隣接して配置されるとともに、バッテリ３２ａの負極外部端子Ａ３´とバッテリ３２ｂの正極外部端子Ａ３は、バッテリ３２ａとバッテリ３２ｂとの境界面の近傍に隣接して配置されている。そして、正極内部端子Ｂ３と正極外部端子Ａ３とは給電線３３を介して接続され、負極内部端子Ｂ３´と負極外部端子Ａ３´とは給電線３４を介して接続されている。
【００３１】
これにより、複数台のバテリ３１ａ、３１ｂを直列接続した場合においても、バッテリ３１ａ、３１ｂの長さに依存することなく、給電線３３、３４の長さｌを決めることができ、給電線３３、３４の長さｌを短くすることが可能となることから、給電線３３、３４上で生じる定在波に起因する放射ノイズについてノイズ規制値で定められている上限の周波数よりも高くすることが可能となり、給電線３３、３４上で生じる定在波に起因する放射ノイズの影響を低減することが可能となる。
【００３２】
図４は、本発明の第４実施形態に係るバッテリの概略構成を模式的に示す斜視図である。
図４において、バッテリ４１ａ、４１ｂには、複数のセル４２ａ、４２ｂがそれぞれ設けられ、セル４２ａ、４２ｂはそれぞれ一方向に直列に積層されている。そして、バッテリ４１ｂは、セル４２ｂの積層方向がセル４２ａの積層方向に対して逆方向を向くようにバッテリ４１ａ上に重ねて配置されている。ここで、バッテリ４１ａの一端のセル４２ａの正極と、バッテリ４１ｂの一端のセル４２ｂの負極とは、接続導体４５を介して接続されている。また、バッテリ４１ａ内には、バッテリ４１ａの他端のセル４２ａの負極に接続された負極内部端子Ｂ４´が設けられるとともに、バッテリ４１ａ外には、バッテリ４１ａの負極を図９の電力変換回路部１０２の負極に接続するための負極外部端子Ａ４´が設けられている。また、バッテリ４１ｂ内には、バッテリ４１ｂの他端のセル４２ｂの正極に接続された正極内部端子Ｂ４が設けられるとともに、バッテリ４１ｂ外には、バッテリ４１ｂの正極を図９の電力変換回路部１０２の正極に接続するための正極外部端子Ａ４が設けられている。
【００３３】
ここで、バッテリ４２ａの負極内部端子Ｂ４’とバッテリ４２ｂの正極内部端子Ｂ４は互いに隣接して配置されるとともに、バッテリ４２ａの負極外部端子Ａ４’とバッテリ４２ｂの正極外部端子４Ａは互いに隣接して配置されている。そして、正極内部端子Ｂ４と正極外部端子Ａ４とは給電線４３を介して接続され、負極内部端子Ｂ４’と負極外部端子Ａ４’とは給電線４４を介して接続されている。
これにより、複数台のバッテリ４１ａ、４１ｂを直列接続した場合においても、給電線４３、４４の長さｌを短かくすることが可能となるとともに、バッテリ４１ａ、４１ｂ全体の長さを抑えることができ、給電線４３、４４上で生じる定在波に起因する放射ノイズの影響を低減することが可能となるとともに、バッテリ４１ａ、４１ｂの設置スペースの制約を緩和することができる。
【００３４】
図５は、本発明の第５実施形態に係るバッテリの概略構成を模式的に示す斜視図である。
図５において、バッテリ５１ａ〜５１ｃには、複数のセル５２ａ〜５２ｃがそれぞれ設けられ、セル５２ａ〜５２ｃはそれぞれ一方向に直列に積層されている。そして、バッテリ５１ｂは、セル５２ｂの積層方向がセル５２ａの積層方向と同一方向を向くようにバッテリ５１ａ上に重ねて配置され、バッテリ５１ｃは、セル５２ｃの積層方向がセル５２ｂの積層方向に対して逆方向を向くようにバッテリ５１ｂ上に重ねて配置されている。ここで、バッテリ５１ａの一端のセル５２ａの負極と、セル５２ａと反対方向に配置されたバッテリ５１ｂの一端のセル５２ｂの正極とは、接続導体５５を介して接続されている。また、バッテリ５１ａの他端のセル５２ａの正極と、セル５２ａと同一方向に配置されたバッテリ５１ｃの一端のセル５２ｃの負極とは、接続導体５６を介して接続されている。
【００３５】
また、バッテリ５１ｂ内には、バッテリ５１ｂの他端のセル５２ｂの負極に接続された負極内部端子Ｂ５´が設けられるとともに、バッテリ５１ｂ外には、バッテリ５１ｂの負極を図９の電力変換回路部１０２の負極に接続するための負極外部端子Ａ５´が設けられている。また、バッテリ５１ｃ内には、バッテリ５１ｃの他端のセル５２ｃの正極に接続された正極内部端子Ｂ５が設けられるとともに、バッテリ５１ｃ外には、バッテリ５１ｃの正極を図９の電力変換回路部１０２の正極に接続するための正極外部端子Ａ５が設けられている。
【００３６】
ここで、バッテリ５２ｂの負極内部端子Ｂ５´とバッテリ５２ｃの正極内部端子Ｂ５は互いに隣接して配置されるとともに、バッテリ５２ｂの負極外部端子Ａ５´とバッテリ５２ｃの正極外部端子Ａ５は互いに隣接して配置されている。そして、正極内部端子Ｂ５と正極外部端子Ａ５とは給電線５３を介して接続され、負極内部端子Ｂ５´と負極外部端子Ａ５´とは給電線５４を介して接続されている。
【００３７】
これにより、複数台のバッテリ５１ａ〜５１ｃを直列接続した場合においても、給電線５３、５４の長さｌを短くすることが可能となるとともに、バッテリ５１ａ〜５１ｃ全体の長さを抑えることができ、給電線５３、５４上で生じる定在波に起因する放射ノイズの影響を低減することが可能となるとともに、バッテリ５１ａ〜５１ｃの設置スペースの制約を緩和しつつ、出力電圧を大きくすることができる。
【００３８】
図６（ａ）は、本発明の第６実施形態に係るバッテリの概略構成を模式的に示す斜視図、図６（ｂ）は、本発明の第７実施形態に係るバッテリの概略構成を模式的に示す斜視図である。
図６（ａ）において、バッテリ６１には、複数のセル６２が設けられ、セル６２は一方向に直列に積層されている。ここで、バッテリ６１の一端にあるセル６２の正極と、バッテリ６１の他端にあるセル６２の負極とは、接続導体６５を介して接続されている。また、積層されたセル６２はバッテリ６１の中央部で分断され、分断されたセル６２の正極に接続された正極内部端子Ｂ６および分断されたセル６２の負極に接続された負極内部端子Ｂ６´がバッテリ６１内に設けられるとともに、バッテリ６１外には、バッテリ６１を図９の電力変換回路部１０２に接続するための正極外部端子Ａ６および負極外部端子Ａ６´がバッテリ６１の中央部に隣接して設けられている。そして、正極内部端子Ｂ６と正極外部端子Ａ６とは給電線６３を介して接続され、負極内部端子Ｂ６´と負極外部端子Ａ６´とは給電線６４を介して接続されている。
【００３９】
また、図６（ｂ）において、バッテリ７１には、複数のセル７２が設けられ、セル７２は一方向に直列に積層されている。ここで、バッテリ７１の一端にあるセル７２の正極と、バッテリ７１の他端にあるセル７２の負極とは、接続導体７５を介して接続されている。また、積層されたセル７２はバッテリ７１の端部で分断され、分断されたセル７２の正極に接続された正極内部端子Ｂ７および分断されたセル７２の負極に接続された負極内部端子Ｂ７´がバッテリ７１内に設けられるとともに、バッテリ７１外には、バッテリ７１を図９の電力変換回路部１０２に接続するための正極外部端子Ａ７および負極外部端子Ａ７´がバッテリ７１の端部に隣接して設けられている。そして、正極内部端子Ｂ７と正極外部端子Ａ７とは給電線７３を介して接続され、負極内部端子Ｂ７´と負極外部端子Ａ７´とは給電線７４を介して接続されている。
【００４０】
これにより、バッテリ６１、７１の長さに依存することなく、給電線６３、６４、７３、７４の長さｌを決めることができ、給電線６３、６４、７３、７４の長さｌを短くすることが可能となるとともに、正極外部端子Ａ６、Ａ７および負極外部端子Ａ６’、Ａ７’をそれぞれ近づけて配置することができ、給電線６３、６４、７３、７４上で生じる定在波に起因する放射ノイズの影響を低減することが可能となるとともに、正極外部端子Ａ６、Ａ７と負極外部端子Ａ６’、Ａ７’との離間距離に対する要請に対応することができる。
【００４１】
図７（ａ）は、本発明の第８実施形態に係るバッテリの概略構成を模式的に示す斜視図、図７（ｂ）は、本発明の第９実施形態に係るバッテリの概略構成を模式的に示す斜視図である。
図７（ａ）において、バッテリ８１には、複数のセル８２が設けられ、セル８２は２列に並べて配置されている。ここで、一方の列のセル８２は一方向に直列に積層されるとともに、他方の列のセル８２はもう一方の列のセル８２の積層方向に対して逆方向を向くように直列に積層されている。
【００４２】
そして、一方の列の一端のセル８２の正極と、他方の列の一端のセル８２の負極とは、接続導体８５を介して接続されている。また、一方の列の他端のセル８２の負極に接続された負極内部端子Ｂ８´および他方の列の他端のセル８２の正極に接続された正極内部端子Ｂ８がバッテリ８１内に設けられるとともに、バッテリ８１外には、バッテリ８１を図９の電力変換回路部１０２に接続するための正極外部端子Ａ８および負極外部端子Ａ８´がバッテリ８１の端部に隣接して設けられている。ここで、負極内部端子Ｂ８´と正極内部端子Ｂ８は互いに隣接して配置されるとともに、負極外部端子Ａ８´と正極外部端子Ａ８は互いに隣接して配置されている。そして、正極内部端子Ｂ８と正極外部端子Ａ８とは給電線８３を介して接続され、負極内部端子Ｂ８´と負極外部端子Ａ８´とは給電線８４を介して接続されている。
【００４３】
これにより、バッテリ８１の長さに依存することなく、給電線８３、８４の長さｌを決めることができ、給電線８３、８４の長さｌを短くすることが可能となることから、給電線８３、８４上で生じる定在波に起因する放射ノイズの影響を低減することが可能となるとともに、単一のバッテリ８１を用いた場合においても、バッテリ８１の長さの増大を抑えつつ、出力電圧を大きくすることができる。
なお、接続導体８５としては電線状の導体を用いるようにしてもよいし、図７（ｂ）に示すように、平板状の接続導体８６を用いるようにしてもよい。また、接続導体８６はセパレータを兼ねるようにしてもよい。
【００４４】
図８は、本発明の第１０実施形態に係るバッテリの概略構成を模式的に示す斜視図である。
図８において、バッテリ９１には、複数のセル９２が設けられ、セル９２は３列に並べて配置されている。ここで、第１列および第２列のセル９２は一方向に直列に積層されるとともに、第３列のセル９２は第１列および第２列のセル９２の積層方向に対して逆方向を向くように直列に積層されている。
【００４５】
そして、第１列の一端のセル９２の負極と、第２列の一端のセル９２の正極とは、接続導体９５を介して接続されている。また、第１列の他端のセル９２の正極と、第３列の一端のセル９２の負極とは、接続導体９６を介して接続されている。また、第２列の他端のセル９２の負極に接続された負極内部端子Ｂ９´および第３列の他端のセル９２の正極に接続された正極内部端子Ｂ９がバッテリ９１内に設けられるとともに、バッテリ９１外には、バッテリ９１を図９の電力変換回路部１０２に接続するための正極外部端子Ａ９および負極外部端子Ａ９´が設けられている。ここで、負極内部端子Ｂ９´と正極内部端子Ｂ９は互いに隣接して配置されるとともに、負極外部端子Ａ９´と正極外部端子Ａ９は互いに隣接して配置されている。そして、正極内部端子Ｂ９と正極外部端子Ａ９とは給電線９３を介して接続され、負極内部端子Ｂ９´と負極外部端子Ａ９´とは給電線９４を介して接続されている。
【００４６】
これにより、バッテリ９１の長さに依存することなく、給電線９３、９４の長さｌを決めることができ、給電線９３、９４の長さｌを短くすることが可能となることから、給電線９３、９４上で生じる定在波に起因する放射ノイズの影響を低減することが可能となるとともに、単一のバッテリ９１を用いた場合においても、バッテリ９１の長さの増大を抑えつつ、出力電圧を大きくすることができる。
なお、上述した実施形態では、無停電電源装置に用いられるバッテリを例にとって説明したが、無停電電源装置に限定されることなく、バッテリ付きの全ての電子機器に適用することができる。また、バッテリの種類や形状や容量は特に制限を設ける必要はなく、給電線の種類や形状は特に制限を設ける必要はない。
【図面の簡単な説明】
【００４７】
【図１】本発明の第１実施形態に係るバッテリの概略構成を模式的に示す斜視図である。
【図２】本発明の第２実施形態に係るバッテリの概略構成を模式的に示す斜視図である。
【図３】本発明の第３実施形態に係るバッテリの概略構成を模式的に示す斜視図である。
【図４】本発明の第４実施形態に係るバッテリの概略構成を模式的に示す斜視図である。
【図５】本発明の第５実施形態に係るバッテリの概略構成を模式的に示す斜視図である。
【図６】図６（ａ）は、本発明の第６実施形態に係るバッテリの概略構成を模式的に示す斜視図、図６（ｂ）は、本発明の第７実施形態に係るバッテリの概略構成を模式的に示す斜視図である。
【図７】図７（ａ）は、本発明の第８実施形態に係るバッテリの概略構成を模式的に示す斜視図、図７（ｂ）は、本発明の第９実施形態に係るバッテリの概略構成を模式的に示す斜視図である。
【図８】本発明の第１０実施形態に係るバッテリの概略構成を模式的に示す斜視図である。
【図９】無停電電源装置の概略構成を示すブロック図である。
【図１０】図１０（ａ）は従来のバッテリの概略構成を模式的に示す斜視図、図１０（ｂ）は図１０（ａ）のバッテリの概略構成を模式的に示す平面図、図１０（ｃ）は図１０（ａ）のバッテリの給電線の電圧分布を示す図である。
【図１１】図１１（ａ）は従来のバッテリの概略構成のその他の例を模式的に示す斜視図、図１１（ｂ）は図１１（ａ）のバッテリの概略構成を模式的に示す平面図、図１１（ｃ）は図１１（ａ）のバッテリの給電線の電圧分布を示す図である。
【符号の説明】
【００４８】
１１、２１、３１ａ、３１ｂ、４１ａ、４１ｂ、５１ａ〜５１ｃ、６１、７１、８１、９１  バッテリ
１２、２２、３２ａ、３２ｂ、４２ａ、４２ｂ、５２ａ〜５２ｃ、６２、７２、８２、９２  セル
１３、１４、２３、２４、３３、３４、４３、４４、５３、５４、６３、６４、７３、７４、８３、８４、９３、９４  給電線
Ａ１、Ａ２、Ａ３、Ａ４、Ａ５、Ａ６、Ａ７、Ａ８、Ａ９  正極外部端子
Ａ１´、Ａ２´、Ａ３´、Ａ４´、Ａ５´、Ａ６´、Ａ７´、Ａ８´、Ａ９´  負極外部端子
Ｂ１、Ｂ２、Ｂ３、Ｂ４、Ｂ５、Ｂ６、Ｂ７、Ｂ８、Ｂ９  正極内部端子
Ｂ１´、Ｂ２´、Ｂ３´、Ｂ４´、Ｂ５´、Ｂ６´、Ｂ７´、Ｂ８´、Ｂ９´  負極内部端子
３５、４５、５５、５６、６５、７５、８５、８６、９５、９６  接続導体
【図１】
0005211626.tif 000002
【図２】
0005211626.tif 000003
【図３】
0005211626.tif 000004
【図４】
0005211626.tif 000005
【図５】
0005211626.tif 000006
【図６】
0005211626.tif 000007
【図７】
0005211626.tif 000008
【図８】
0005211626.tif 000009
【図９】
0005211626.tif 000010
【図１０】
0005211626.tif 000011
【図１１】
0005211626.tif 000012